【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
少なくとも１つのバイオメトリック情報用センサと、
前記バイオメトリック情報を処理する手段と、
前記バイオメトリック情報の少なくとも一部および／または対応する認識情報の少なくとも一部を示す暗号化されたデータの少なくとも一部を送信する暗号手段と、
モノリシック集積回路において保管および／または処理されて流れているデータへのアクセスを拒否して、保護された周縁部を作るための保護手段と
を、同一のシリコン基板上に一体化することによって得られた前記モノリシック集積回路として有しており、
前記センサと前記処理手段と前記暗号手段によって交換されたデータが、特には前記バイオメトリック情報が、外部からアクセスできないようにされたまま、前記モノリシック集積回路内のみに保持されており、暗号化されたデータのみが前記モノリシック集積回路の外部に送信されることを特徴とする少なくとも一人の個人を認識する装置。
【請求項２】
前記保護手段が、
前記モノリシック集積回路の電源をモニタする手段と、
前記装置の動作に同期するクロックの特性をモニタする手段と、
前記モノリシック集積回路の温度を制御する手段と、
装置の内部処理により生成させた電磁妨害にスクランブルをかける手段と、
放射線防止保護手段と、
電磁界シールド手段と、
前記装置と干渉する任意の物理的および／または電気的な試みも防止および／または検出する目的の物理的シールド手段と、
前記装置の中で処理および／または保管され流れている情報にスクランブルをかける手段と
から成るグループに属する少なくとも１つの手段を含むものであり、
データへのアクセスを拒否することを特徴とする請求項１に記載の少なくとも一人の個人を認識する装置。
【請求項３】
前記バイオメトリック情報が
指紋と、
声紋と、
目の模様と、
形態学的な特徴と、
行動的な特徴と
を含むグループに属するものであることを特徴とする請求項１または請求項２のいずれか１つに記載の少なくとも一人の個人を認識する装置。
【請求項４】
前記センサが
熱センサと、
圧力センサと、
光センサと、
移動検出器と、
放射検出器と、
電気的特性センサと、
物理的実体センサと
を含むグループに属することを特徴とする請求項１から請求項３のいずれか１つに記載の少なくとも一人の個人を認識する装置。
【請求項５】
前記処理手段は、前記センサの少なくとも１つが送信した少なくとも１つの信号をフォーマッティングする手段と、少なくとも１つの関係する特徴に対する前記フォーマッティング信号を抽出する手段とを含んでおり、
一意の方法で個人を識別できるようにするディジタルのシグネチャを作り出すことを特徴とする請求項１から請求項４のいずれか１つに記載の少なくとも一人の個人を認識する装置。
【請求項６】
前記暗号手段が前記モノリシック集積回路の記憶装置内に記憶された少なくとも１つのキーを用いて計算された暗号のシグネチャを提供することを特徴とする請求項１から請求項５のいずれか１つに記載の少なくとも一人の個人を認識する装置。
【請求項７】
前記暗号のシグネチャが、前記モノリシック集積回路とは無関係の手段が生成させ伝達させた少なくとも１つのランダムパラメータも考慮することを特徴とする請求項６８に記載の少なくとも一人の個人を認識する装置。
【請求項８】
前記モノリシック集積回路内に記憶された基準データに基づいて、少なくとも一人の個人を認識する手段を含むことを特徴とする請求項１から請求項７のいずれか１つに記載の少なくとも一人の個人を認識する装置。
【請求項９】
前記認識手段は、個人が認識されたまたは認識されないことを示す１つの認識情報を送信するものであり、前記認識情報は、前記モノリシック集積回路の外部に送信される前に暗号化されることを特徴とする請求項８に記載の少なくとも一人の個人を認識する装置。
【請求項１０】
前記モノリシック集積回路が、
少なくとも１つの暗号キーと、
前記暗号キーの少なくとも１つの安全処理機構と、
個人を示す少なくとも１つの基準データと、
前記モノリシック集積回路の中にある手段を実行するために必要なデータおよび／またはプログラムと
を含むグループに属する少なくとも１つの素子を含む記憶装置を含むことを特徴とする請求項１から請求項９のいずれか１つに記載の少なくとも一人の個人を認識する装置。
【請求項１１】
前記記憶装置が少なくとも１つのディジタルデータメモリを含むことを特徴とする請求項１０に記載の少なくとも一人の個人を認識する装置。
【請求項１２】
前記ディジタルデータメモリがフラッシュメモリ、ＥＥＰＲＯＭ、ＥＰＲＯＭ、ＲＯＭ、ＲＡＭ、ＦＥＲＡＭ、ＭＲＡＭおよび磁気メモリを含むグループに属することを特徴とする請求項１１に記載の少なくとも一人の個人を認識する装置。
【請求項１３】
前記モノリシック集積回路が指紋センサと、痕跡イメージを送信する手段と、生成させたイメージを処理する手段と、処理されたイメージ上の細部を抽出する手段とを含むことを特徴とする請求項１から請求項１２のいずれか１つに記載の少なくとも一人の個人を認識する装置。
【請求項１４】
前記暗号手段が少なくとも１つの機器計算ブースタを実行することを特徴とする請求項１から請求項１３のいずれか１つに記載の少なくとも一人の個人を認識する装置。
【請求項１５】
少なくとも一人の個人を認識する方法であって、
前記モノリシック集積回路の中に一体化された少なくとも１つのセンサを用いて、前記個人のバイオメトリック情報を獲得するステップと、
前記バイオメトリック情報を処理するステップと、
前記バイオメトリック情報の少なくとも一部および／または対応する認識情報の少なくとも一部を暗号化するステップと、
暗号化されたデータを外部に送信するステップと
を、モノリシック集積回路の内部に一体的に実現されて含んでおり、
前記センサと前記処理手段と前記暗号手段とによって交換されたデータ、特には前記バイオメトリック情報が、外部からアクセスできないようにされたまま、前記モノリシック集積回路内のみに保持され、暗号化されたデータだけが前記モノリシック集積回路の外部に送信されることを特徴とする少なくとも一人の個人を認識する方法。
【請求項１６】
前記モノリシック集積回路は、前記モノリシック集積回路の中で記憶または処理されて流れているデータへのアクセスを拒否する保護手段を実行することによって、保護された周縁部を形成することを特徴とする請求項１５に記載の少なくとも一人の個人を認識する方法。
【請求項１７】
前記モノリシック集積回路を含む少なくとも１つの認識装置と、
前記認識装置が送信した暗号化されたデータを受信および処理することができ、その結果として少なくとも１つのデータ、少なくとも１つの目的物および／または少なくとも１つのサイトへのアクセスを許可または拒否することができる、前記認識装置にリンクされた少なくとも１つのアクセスモニタリング装置と
を実行することを特徴とする請求項１５または請求項１６に記載の少なくとも一人の個人を認識する方法。
【請求項１８】
少なくとも１つのデータ、少なくとも１つの目的物および／または少なくとも１つのサイトへのアクセスを許可または拒否する手段を含むアクセスモニタリング装置であって、請求項１から請求項１４のいずれかに記載の少なくとも一人の個人を認識するための少なくとも１つの装置が送った暗号化されたデータを受信および処理する手段を含むことを特徴とするアクセスモニタリング装置。
【請求項１９】
少なくとも１つのデータ、少なくとも１つの目的物および／または少なくとも１つのサイトへのアクセスをモニタするシステムであって、請求項１から請求項１４のいずれかに記載の少なくとも一人の個人を認識するための少なくとも１つの装置と、請求項１８に記載の少なくとも１つのアクセスモニタリング装置とを含むことを特徴とするシステム。
【請求項２０】
物理的なアクセスのモニタリングと、
コンピュータデータへのアクセスのモニタリングと、
前記装置の所有者の識別と、
移動可能な対象物の実現と、
銀行業務と、
電子的シグネチャと
を含むグループに属する少なくとも１つの分野に用いる、請求項１から請求項１４のいずれか１つに記載の少なくとも一人の個人を認識するための装置。
【請求項２１】
物理的なアクセスのモニタリングと、
コンピュータデータへのアクセスのモニタリングと、
前記装置の所有者の識別と、
移動可能な対象物の実現と、
銀行業務と、
電子的シグネチャと
を含むグループに属する少なくとも１つの分野に用いる、請求項１５から請求項１７のいずれか１つに記載の少なくとも一人の個人を認識する方法。